(57)【要約】【課題】キーキャップとその周囲のフレームとの間の隙間を小さくすることができるキーボード装置及び該キーボード装置を備えた電子機器を提供する。【解決手段】キーボード装置１０は、ベースプレート３０と、ベースプレート３０の上面側に設けられたガイド機構２８と、ガイド機構２８に取り付けられて上下方向にガイドされることで上下動可能に配設された複数のキーキャップ２４とを備え、隣接するキーキャップ２４間をフレーム２６で区画した構成からなる。このキーボード装置１０において、ガイド機構２８は、ベースプレート３０に対して水平方向に浮動可能な状態で取り付けられ、且つフレーム２６に対して水平方向に移動不能に位置決めされて取り付けられている。【選択図】図３
2016081393.tif 000002
【特許請求の範囲】
【請求項１】
ベースプレートと、該ベースプレートの上面側に設けられたガイド機構と、該ガイド機構に取り付けられて上下方向にガイドされることで上下動可能に配設された複数のキーキャップとを備え、隣接するキーキャップ間をフレームで区画したキーボード装置であって、
前記ガイド機構は、前記ベースプレートに対して水平方向に浮動可能な状態で取り付けられ、且つ前記フレームに対して水平方向に移動不能に位置決めされて取り付けられていることを特徴とするキーボード装置。
【請求項２】
請求項１記載のキーボード装置において、
前記フレームは、前記キーキャップが上下動可能に挿入配置される孔部と、該孔部の内壁面から突出し、前記ガイド機構を位置決め固定するアーム部とを有することを特徴とするキーボード装置。
【請求項３】
請求項１又は２記載のキーボード装置において、
前記ガイド機構は、一端が前記ベースプレートに対して水平方向に浮動可能且つ回転可能に係止され、他端が前記キーキャップに対して水平方向に移動不能且つ回転可能に支承された内側枠と、
前記内側枠の外側に該内側枠に対して筋交い状に設けられ、一端が前記キーキャップに対して水平方向で他端側に向かって移動可能且つ回転可能に係止され、他端が前記ベースプレートに対して水平方向に浮動可能且つ回転可能に係止された外側枠とを有し、
前記外側枠の他端が前記フレームに対して水平方向に位置決めされていることを特徴とするキーボード装置。
【請求項４】
請求項３記載のキーボード装置において、
前記ベースプレートは、前記内側枠の一端に設けられた軸部材を係止する内側枠用係止片と、前記外側枠の他端に設けられた軸部材を係止する外側枠用係止片とを有し、
前記内側枠と前記内側枠用係止片との間、前記外側枠と前記外側枠用係止片との間、前記内側枠の軸部材と内側枠用係止片との間、及び前記外側枠の軸部材と前記外側枠用係止片との間には、水平方向の隙間が設けられることを特徴とするキーボード装置。
【請求項５】
請求項４記載のキーボード装置において、
前記キーキャップには、その側面下端部から外方へと突出し、前記フレームの下面に当接可能な突出部が設けられ、該突出部が前記フレームに当接することで前記キーキャップの最高高さが規定されるものであり、
前記内側枠の軸部材と内側枠用係止片との間及び前記外側枠の軸部材と外側枠用係止片との間の隙間は、前記キーキャップの上下方向位置に関わらず確保されることを特徴とするキーボード装置。
【請求項６】
請求項１〜５のいずれか１項に記載のキーボード装置を備えることを特徴とする電子機器。
【発明の詳細な説明】
【技術分野】
【０００１】
本発明は、パーソナルコンピュータ等の電子機器に用いられるキーボード装置及び該キーボード装置を備えた電子機器に関する。
【背景技術】
【０００２】
パーソナルコンピュータ等の電子機器に用いられるキーボード装置では、ベースプレートと、ベースプレートの上面又は下面に設けられたメンブレンシートと、ベースプレートの上面側に上下動可能に配設されたキーキャップとを備えた構成がある。この構成では、キーキャップが押下された場合にメンブレンシートの接点が接離することで押下されたキーに該当する信号が出力され、キーキャップの押下が解除されると内部に設けた弾性部材の弾性力によってキーキャップが元の位置に復帰する。
【０００３】
キーボード装置には、各キーキャップ同士がフレームレスで互いに隣接配置される構成の他、各キーキャップの押し間違え防止等のために各キーキャップの周囲をフレーム（コスメティックフレーム）で囲んだアイソレーション型のものがある。例えば、特許文献１，２には、キーキャップをベースプレートに対してパンタグラフ型や変形可能な板状部材からなるガイド機構によって上下動可能にガイドする構成を備えたアイソレーション型のキーボード装置が開示されている。
【先行技術文献】
【特許文献】
【０００４】
【特許文献１】特開２０１１−１０７８２４号公報
【特許文献２】特開２０１３−８９２４０号公報
【発明の概要】
【発明が解決しようとする課題】
【０００５】
上記特許文献１，２記載のキーボード装置では、ガイド機構をベースプレートに対して位置決め固定している。従って、フレームやベースプレート等の部品精度や各部品の組立精度によってはフレームに複数形成されたキーキャップ配置用の孔部とキーキャップとが干渉する懸念があり、これら孔部とキーキャップとの間の隙間にある程度の余裕を持たせておく必要がある。そのため、この隙間から異物が侵入し易く、また隙間が大きいとキーボード装置の美観が損なわれてしまう。
【０００６】
本発明は、上記従来技術の課題を考慮してなされたものであり、キーキャップとその周囲のフレームとの間の隙間を小さくすることができるキーボード装置及び該キーボード装置を備えた電子機器を提供することを目的とする。
【課題を解決するための手段】
【０００７】
本発明に係るキーボード装置は、ベースプレートと、該ベースプレートの上面側に設けられたガイド機構と、該ガイド機構に取り付けられて上下方向にガイドされることで上下動可能に配設された複数のキーキャップとを備え、隣接するキーキャップ間をフレームで区画したキーボード装置であって、前記ガイド機構は、前記ベースプレートに対して水平方向に浮動可能な状態で取り付けられ、且つ前記フレームに対して水平方向に移動不能に位置決めされて取り付けられていることを特徴とする。
【０００８】
また、本発明に係る電子機器は、上記構成のキーボード装置を備えることを特徴とする。
【０００９】
このような構成によれば、ガイド機構に取り付けられたキーキャップとフレームとの間の位置関係が固定され、これらキーキャップ及びフレームとベースプレートとの位置関係はある程度調整可能な浮動状態にある。このため、フレームとキーキャップとの間の隙間を可及的に小さくしつつも、ガイド機構とベースプレートとの組付け性を確保できる。これにより、フレームとキーキャップとの間の隙間からの異物の侵入を抑制できると共に、当該キーボード装置の美観も向上する。また、キーキャップに対して指先や爪を引っ掛けにくくなることから、キーキャップの脱落防止性能も向上する。
【００１０】
前記フレームは、前記キーキャップが上下動可能に挿入配置される孔部と、該孔部の内壁面から突出し、前記ガイド機構を位置決め固定するアーム部とを有する構成であると、アーム部によってガイド機構を容易に且つ確実に位置決めすることができる。
【００１１】
前記ガイド機構は、一端が前記ベースプレートに対して水平方向に浮動可能且つ回転可能に係止され、他端が前記キーキャップに対して水平方向に移動不能且つ回転可能に支承された内側枠と、前記内側枠の外側に該内側枠に対して筋交い状に設けられ、一端が前記キーキャップに対して水平方向で他端側に向かって移動可能且つ回転可能に係止され、他端が前記ベースプレートに対して水平方向に浮動可能且つ回転可能に係止された外側枠とを有し、前記外側枠の他端が前記フレームに対して水平方向に位置決めされた構成であってもよい。
【００１２】
この場合、前記ベースプレートは、前記内側枠の一端に設けられた軸部材を係止する内側枠用係止片と、前記外側枠の他端に設けられた軸部材を係止する外側枠用係止片とを有し、前記内側枠と前記内側枠用係止片との間、前記外側枠と前記外側枠用係止片との間、前記内側枠の軸部材と内側枠用係止片との間、及び前記外側枠の軸部材と前記外側枠用係止片との間には、水平方向の隙間が設けられる構成であると、簡素な構造でガイド機構をベースプレートに対して水平方向に浮動可能に取り付けることができる。
【００１３】
前記キーキャップには、その側面下端部から外方へと突出し、前記フレームの下面に当接可能な突出部が設けられ、該突出部が前記フレームに当接することで前記キーキャップの最高高さが規定されるものであり、前記内側枠の軸部材と内側枠用係止片との間及び前記外側枠の軸部材と外側枠用係止片との間の隙間は、前記キーキャップの上下方向位置に関わらず確保されるとよい。そうすると、ガイド機構の上動限界によってキーキャップの最高高さが規定されず、キーキャップの突出部がフレームに当接することでキーキャップの最高高さが規定される。このため、各キーキャップの高さ位置の精度が向上し、キーストロークやキーフィーリングが安定する。また、突出部によってキーキャップのより確実な抜け止めがなされる。
【発明の効果】
【００１４】
本発明によれば、フレームとキーキャップとの間の隙間を可及的に小さくでき、この隙間からの異物の侵入を抑制できると共に、当該キーボード装置の美観も向上する。
【図面の簡単な説明】
【００１５】
【図１】図１は、本発明の一実施形態に係るキーボード装置を備えた電子機器の斜視図である。
【図２】図２は、図１に示すキーボード装置に設けられたキースイッチを拡大した平面図である。
【図３】図３は、図２に示すキースイッチの側面図である。
【図４】図４は、図２に示すキースイッチからキーキャップを取り外した状態を示す平面図である。
【図５】図５は、図４中のＶ−Ｖ線に沿う断面図である。
【図６】図６は、キーキャップを下面側から見た斜視図である。
【図７】図７は、フレームを下面側から見た要部拡大斜視図である。
【発明を実施するための形態】
【００１６】
以下、本発明に係るキーボード装置について、この装置を備えた電子機器との関係で好適な実施の形態を挙げ、添付の図面を参照しながら詳細に説明する。
【００１７】
図１は、本発明の一実施形態に係るキーボード装置１０を備えた電子機器１２の斜視図であり、図２は、図１に示すキーボード装置１０に設けられたキースイッチ１４を拡大した平面図である。本実施形態では、キーボード装置１０をノートブック型パーソナルコンピュータ（ノート型ＰＣ）である電子機器１２に適用した構成を例示する。本発明は、デスクトップ型パーソナルコンピュータ（デスクトップ型ＰＣ）等、ノート型ＰＣ以外の各種電子機器用のキーボード装置にも適用できる。
【００１８】
以下、図１に示すノート型ＰＣでの使用形態を基準とし、ディスプレイ１６を視認しながらキーボード装置１０を操作する使用者から見た方向で、手前側を前側（前方）、奥側を後側（後方）、幅方向をそれぞれ左右方向（左側及び右側）、さらにキーボード装置１０の厚み方向を上下方向と呼んで説明する。
【００１９】
図１に示すように、電子機器１２は、ディスプレイ１６を有する表示部１８と、キーボード装置１０を有する本体部２０とを備え、表示部１８と本体部２０とが左右一対のヒンジ機構２２によって回動可能に連結されている。
【００２０】
表示部１８は、ヒンジ機構２２を通過した図示しないケーブルにより、本体部２０と電気的に接続されている。ディスプレイ１６は、例えば、タッチパネル式の液晶表示装置によって構成される。
【００２１】
本体部２０は、扁平な箱状に形成された筐体２０ａの後端縁部にヒンジ機構２２が設けられている。筐体２０ａの内部には、図示しない基板、演算装置、及びメモリ等の各種電子部品が収納されると共に、キーボード装置１０が筐体２０ａの上面で露出している。
【００２２】
キーボード装置１０は、複数のキースイッチ１４と、各キースイッチ１４の操作面を構成するキーキャップ２４の周囲の隙間を埋めるフレーム（コスメティックフレーム）２６とを備えたアイソレーション型のキーボード装置である。このようにキーボード装置１０では、隣接するキーキャップ２４間がフレーム２６によって区画され、それぞれが独立した構成となっている。
【００２３】
フレーム２６は、樹脂等で形成された１枚の板状部材に各キースイッチ１４のキーキャップ２４を挿通させる複数の孔部２６ａ（図２及び図７参照）が形成された枠体である。孔部２６ａの内壁面とキーキャップ２４の外周側面との間には、図２に示すような僅かな隙間Ｇ１が設定されている。フレーム２６は、筐体２０ａの上面と略面一又は多少低位置となるように該筐体２０ａに対して取り付けられている。
【００２４】
次に、キーボード装置１０の具体的な構成について説明する。
【００２５】
図３は、図２に示すキースイッチ１４の側面図であり、キーキャップ２４を最高高さまで上動させたときの状態を示している。図４は、図２に示すキースイッチ１４からキーキャップ２４を取り外した状態を示す平面図であり、図５は、図４中のＶ−Ｖ線に沿う断面図である。また、図６は、キーキャップ２４を下面側から見た斜視図であり、図７は、フレーム２６を下面側から見た要部拡大斜視図である。
【００２６】
図３〜図５に示すように、キーボード装置１０は、キーキャップ２４をガイド機構２８で上下動可能に支持したキースイッチ１４と、キースイッチ１４を上面側に支持するベースプレート３０と、ベースプレート３０の上面側に積層されたメンブレンシート３２と、ベースプレート３０の下面側に貼着された防水シート３４とを備える。
【００２７】
ベースプレート３０は、キースイッチ１４の取付板となるものであり、当該キーボード装置１０に配設される全てのキースイッチ１４が１つのベースプレート３０を共用している。ベースプレート３０は、薄いアルミニウム板等の金属板に切り起こし成形や打ち抜き成形を施したものである。ベースプレート３０の上面には、ガイド機構２８を取り付けるための係止片３６，３８がそれぞれ左右一対で前後に形成されている。前側の係止片３６は前方を向いたフック形状であり、後側の係止片３８は後方を向いたフック形状である（図３参照）。フレーム２６は、ベースプレート３０の上面に設置される。
【００２８】
メンブレンシート３２は、押圧された場合に接点が閉じる三層構造のスイッチシートであって、ベースプレート３０の上に積層されている。メンブレンシート３２は、固定接点及び可動接点が重なる位置が押圧された場合に、固定接点と可動接点とが密着することにより、接点を閉じるものである。メンブレンシート３２は、例えば上面に固定接点が形成された下側シートと、固定接点と対向する可動接点が下面に形成された上側シートと、下側シートと上側シートとの間に設けられ、通常状態において固定接点と可動接点とを離隔するスペーサシートとを積層した構成である。メンブレンシート３２は各所に貫通孔を有し、この貫通孔を通してガイド機構２８がベースプレート３０の上面に着地する。メンブレンシート３２は、ベースプレート３０の下に積層されてもよい。
【００２９】
キーキャップ２４は信号を入力するための操作部材であり、ベースプレート３０の上方にガイド機構２８を介して配設される。図２に示すように、キーキャップ２４は平面視で略四角形状であり、操作面となる上面２４ａと、上面２４ａの４辺の縁部から下方に延びた側面２４ｂとを有し、樹脂等で成形される。上面２４ａは、キーキャップ２４を指で確実に押下操作可能とするため、中央が凹んだ湾曲面となっている。左側の側面２４ｂには前後一対の突出部２５Ｌ，２５Ｌが外方へと突出形成され、右側の側面２４ｂには前後一対の突出部２５Ｒ，２５Ｒが外方へと突出形成されている。上面２４ａ及び各側面２４ｂで囲まれたキーキャップ２４の内側空間は、ガイド機構２８及びラバードーム４０の配設空間となっている（図３及び図５参照）。キーキャップ２４の下面には、ガイド機構２８を係止する係止部４２，４４がそれぞれ左右一対で前後に形成されている（図３及び図６参照）。
【００３０】
突出部２５Ｌ，２５Ｒは、側面２４ｂから外方に突出した平面視略矩形形状の翼状部材である。突出部２５Ｌ，２５Ｒは、フレーム２６の孔部２６ａの内壁面に形成された溝部２６ｂ内で上下動可能であり（図７参照）、溝部２６ｂの天面に当接することで上方への抜け止めがなされる。突出部２５Ｌ，２５Ｒは、キーキャップ２４の上動方向での最高高さ位置を規定する機能も有し、キーキャップ２４を押下操作していない状態で突出部２５Ｌ，２５Ｒは溝部２６ｂの天面に当接した状態となる。
【００３１】
ラバードーム４０は、キーキャップ２４が押下された場合にメンブレンシート３２を押圧すると共に、キーキャップ２４の押下操作が解除された際にキーキャップ２４を元の位置に復帰させるための弾性部材であり、メンブレンシート３２とキーキャップ２４との間に配設されている。ラバードーム４０は、シリコンゴム等、可撓性を有する弾性材料で形成されている。ラバードーム４０は、キーキャップ２４の下面に接する頂部４０ａと、頂部４０ａの下端から下方に向けて傘状に拡開してメンブレンシート３２上に固着される基部４０ｂと、基部４０ｂの内側中心で下方に向けて突設されてメンブレンシート３２を押圧する押圧部４０ｃとを有する。
【００３２】
キースイッチ１４では、キーキャップ２４が押下操作されると、その操作力がラバードーム４０の頂部４０ａに伝わり、基部４０ｂが弾性変形すると共に、押圧部４０ｃがメンブレンシート３２を押圧する。これにより、メンブレンシート３２は接点を閉じる。一方、キーキャップ２４への押下操作が解除されると、ラバードーム４０の弾性復元力により、基部４０ｂが元の形状に戻り、押圧部４０ｃが元の位置に復帰する。これにより、キーキャップ２４が元の位置に戻り、メンブレンシート３２が接点を開く。
【００３３】
図３及び図４に示すように、ガイド機構２８は、キーキャップ２４を上下動可能に支持するものであり、ベースプレート３０とキーキャップ２４との間に折り畳み可能に取り付けられている。ガイド機構２８は、内側枠５０と、内側枠５０と対を成す外側枠５２とを備える。これら内側枠５０と外側枠５２とは筋交い状に取り付けられ、キーキャップ２４をベースプレート３０上で上下動可能にガイドするパンタグラフとして機能する。
【００３４】
内側枠５０は、中央にラバードーム４０が挿通する開口部５０ａが形成された枠体であって、外形が平面視矩形状、内形が平面視円形状に形成されている。内側枠５０は、後側に左右一対形成された軸部材５４，５４がベースプレート３０の後側の係止片３８，３８に対して水平方向に浮動可能な状態で前後方向に移動可能且つ回転可能に係止され、前側に左右一対形成された軸部材５６，５６がキーキャップ２４の前側の係止部４２，４２に対して水平方向に移動不能且つ回転可能に支承される。
【００３５】
外側枠５２は、内側枠５０が内側に嵌り込む枠体であって、外形及び内形が平面視矩形状に形成されている。外側枠５２は、後側に左右一対形成された軸部材５８，５８がキーキャップ２４の後側の係止部４４，４４に対して前後方向に移動可能且つ回転可能に係止され、前側に左右一対形成された軸部材６０，６０がベースプレート３０の前側の係止片３６，３６に対して水平方向に浮動可能且つ回転可能に係止される。
【００３６】
すなわち、内側枠５０の軸部材５４とベースプレート３０の係止片（内側枠用係止片）３８との間には、図４に示すような左右方向の隙間Ｇ２が設けられ、外側枠５２の軸部材６０とベースプレート３０の係止片（外側枠用係止片）３６との間には、図４に示すような左右方向の隙間Ｇ３が設けられる。さらに、上記のようにキーキャップ２４が押下操作されず、突出部２５Ｌ，２５Ｒがフレーム２６の溝部２６ｂの天面に当接してキーキャップ２４が最も上動した位置にある状態では、図３に示すように外側枠５２の軸部材６０及び内側枠５０の軸部材５４がベースプレート３０の係止片３６，３８との間に前後方向の隙間Ｇ４，Ｇ５を有する。これにより、ガイド機構２８はベースプレート３０に対して水平方向で前後左右に浮動可能な状態で取り付けられている。
【００３７】
外側枠５２の前側の各軸部材６０は、さらに、係止片３６での係止位置より先端側となる位置で、フレーム２６のアーム部２６ｃによって水平方向に移動不能且つ回転可能に支承されている。アーム部２６ｃは、フレーム２６の孔部２６ａの内壁面から内方に突出しており、その先端部には、下面側に向かって拡径する一対のテーパ形状が設けられている。アーム部２６ｃは、このテーパ形状によって軸部材６０を上方から押さえ付けて回転のみを許容した状態で支承する（図３及び図４参照）。
【００３８】
従って、ガイド機構２８は、内側枠５０の軸部材５６がキーキャップ２４に対して水平方向に移動不能且つ回転可能に支承されることでキーキャップ２４との間での位置決めがなされている。さらに、ガイド機構２８は、内側枠５０の軸部材５４及び外側枠５２の軸部材６０がベースプレート３０に対して隙間Ｇ２，Ｇ３によって水平方向で浮動可能な状態で係止される一方、外側枠５２の軸部材６０がフレーム２６に対して水平方向に移動不能且つ回転可能な状態で位置決め支承されている。これにより、ガイド機構２８とフレーム２６との間での位置決めがなされ、同時にキーキャップ２４とフレーム２６との間の位置決めがなされる一方、これらキーキャップ２４及びガイド機構２８はベースプレート３０に対して水平方向に浮動可能な状態で係止されている。
【００３９】
なお、図３から明らかなように、キーキャップ２４が押下操作された際には、軸部材５４は係止片３８から離間する後方へと移動するが、軸部材６０はアーム部２６ｃによってフレーム２６に対して位置決めされており、係止片３６に対する位置は変化しない。このため、軸部材６０，５４と係止片３６，３８との間の前後方向の隙間Ｇ４，Ｇ５は、キーキャップ２４の上方方向位置に関わらず常に確保されることになる。
【００４０】
以上のように、本実施形態に係るキーボード装置１０では、隣接するキーキャップ２４間をフレーム２６で区画した構造において、ガイド機構２８がベースプレート３０に対して水平方向に浮動可能な状態で取り付けられると同時に、フレーム２６に対して水平方向に移動不能に位置決めされて取り付けられている。
【００４１】
これにより、ガイド機構２８に取り付けられたキーキャップ２４とフレーム２６との間の位置関係が固定され、これらキーキャップ２４及びフレーム２６とベースプレート３０との位置関係はある程度調整可能な浮動状態となる。このため、フレーム２６の孔部２６ａとここに挿入配置されるキーキャップ２４の側面２４ｂとの間の隙間Ｇ１（図２参照）を可及的に小さく設定しても、ガイド機構２８とベースプレート３０との間が浮動状態にあるため円滑な組付け性が確保でき、例えば隙間Ｇ１を０．５〜０．２ｍｍ程度と極小に設定することが可能となる。その結果、隙間Ｇ１からの異物の侵入を抑制できると共に、液体の浸入圧力が減って防水性能が向上し、さらにキーボード装置１０の美観も向上する。また、指先や爪を引っ掛けにくくなることから、キーキャップ２４の脱落防止性能も向上する。
【００４２】
さらに、キーキャップ２４とフレーム２６との間の位置関係が固定され、これらキーキャップ２４及びフレーム２６とベースプレート３０との位置関係はある程度調整可能な浮動状態にあるため、当該キーボード装置１０が温度の影響を受けた場合の不具合の発生が抑制されている。すなわち、例えば樹脂材料で形成されるキーキャップ２４及びフレーム２６の熱伸縮量が略同一となる一方、熱伸縮量が異なる金属材料で形成されるベースプレート３０との間は浮動状態で取り付けられている。このため、キーボード装置１０が温度の影響を受けた場合であっても、キーキャップ２４とフレーム２６との間の隙間Ｇ１を維持し易く、両者の干渉によるキーキャップ２４の操作に対する不具合が出ることが抑えられ、さらに熱伸縮量の異なるベースプレート３０に対しては浮動状態にあるため、ベースプレート３０の熱伸縮によってキーキャップ２４とフレーム２６との位置関係に影響がでることも抑制できる。
【００４３】
本実施形態に係るキーボード装置１０では、内側枠５０と係止片３８との間、外側枠５２と係止片３６との間、内側枠５０の軸部材５４と係止片３８との間、及び外側枠５２の軸部材６０と係止片３６との間には、水平方向の隙間Ｇ２，Ｇ３，Ｇ５，Ｇ４がそれぞれ設けられる。すなわち、キーボード装置１０では、これら各隙間Ｇ２〜Ｇ５を設けるだけの簡素な構造によってガイド機構２８をベースプレート３０に対して浮動可能に取り付けることができる。
【００４４】
この場合、キーキャップ２４には、その側面２４ｂの下端部から外方へと突出し、フレーム２６の下面に当接可能な突出部２５Ｌ，２５Ｒが設けられ、該突出部２５Ｌ，２５Ｒがフレーム２６に当接することでキーキャップ２４の最高高さが規定される。そして、外側枠５２の軸部材６０と係止片３６との間及び内側枠５０の軸部材５４と係止片３８との間の隙間Ｇ４，Ｇ５は、キーキャップ２４の上下方向位置に関わらず確保される構造となっている。換言すれば、キーボード装置１０では、ガイド機構２８の上動限界によってキーキャップ２４の最高高さが規定されず、キーキャップ２４の突出部２５Ｌ，２５Ｒがフレーム２６に当接することでキーキャップ２４の最高高さ位置が規定される。このため、各キーキャップ２４の高さ位置の精度が向上し、キーストロークやキーフィーリングが安定する。例えば、パンタグラグ型のガイド機構によってキーキャップの最高高さを規定する従来構造では、各キーキャップ間の高さ精度が±０．２〜０．３ｍｍ程度であったのに対し、当該キーボード装置１０の場合には±０．１ｍｍ程度の高さ精度を実現できる。また、突出部２５Ｌ，２５Ｒによってキーキャップ２４のより確実な抜け止めを図ることができる。
【００４５】
なお、本発明は、上記した実施形態に限定されるものではなく、本発明の主旨を逸脱しない範囲で自由に変更できることは勿論である。
【符号の説明】
【００４６】
１０  キーボード装置
１２  電子機器
１４  キースイッチ
１６  ディスプレイ
１８  表示部
２０  本体部
２４  キーキャップ
２５Ｌ，２５Ｒ  突出部
２６  フレーム
２６ａ  孔部
２６ｂ  溝部
２６ｃ  アーム部
２８  ガイド機構
３０  ベースプレート
３２  メンブレンシート
３６，３８  係止片
４０  ラバードーム
４２，４４  係止部
５０  内側枠
５２  外側枠
５４，５６，５８，６０  軸部材
Ｇ１〜Ｇ５  隙間
【図１】
2016081393.tif 000003
【図２】
2016081393.tif 000004
【図３】
2016081393.tif 000005
【図４】
2016081393.tif 000006
【図５】
2016081393.tif 000007
【図６】
2016081393.tif 000008
【図７】
2016081393.tif 000009
【手続補正書】
【提出日】平成28年2月16日(2016.2.16)
【手続補正１】
【補正対象書類名】特許請求の範囲
【補正対象項目名】全文
【補正方法】変更
【補正の内容】
【特許請求の範囲】
【請求項１】
ベースプレートと、該ベースプレートの上面側に設けられたガイド機構と、該ガイド機構に取り付けられて上下方向にガイドされることで上下動可能に配設された複数のキーキャップとを備え、隣接するキーキャップ間をフレームで区画したキーボード装置であって、
前記ガイド機構は、前記ベースプレートに対して水平方向に浮動可能な状態で取り付けられ、且つ前記フレームに対して水平方向に移動不能に位置決めされて取り付けられると共に、前記キーキャップに対して水平方向に移動不能に支承され、これにより前記キーキャップと前記フレームとの間の位置関係が固定されていることを特徴とするキーボード装置。
【請求項２】
請求項１記載のキーボード装置において、
前記フレームは、前記キーキャップが上下動可能に挿入配置される孔部と、該孔部の内壁面から突出し、前記ガイド機構を位置決め固定するアーム部とを有することを特徴とするキーボード装置。
【請求項３】
ベースプレートと、該ベースプレートの上面側に設けられたガイド機構と、該ガイド機構に取り付けられて上下方向にガイドされることで上下動可能に配設された複数のキーキャップとを備え、隣接するキーキャップ間をフレームで区画したキーボード装置であって、
前記ガイド機構は、前記ベースプレートに対して水平方向に浮動可能な状態で取り付けられ、且つ前記フレームに対して水平方向に移動不能に位置決めされて取り付けられており、
前記ガイド機構は、一端が前記ベースプレートに対して水平方向に浮動可能且つ回転可能に係止され、他端が前記キーキャップに対して水平方向に移動不能且つ回転可能に支承された内側枠と、
前記内側枠の外側に該内側枠に対して筋交い状に設けられ、一端が前記キーキャップに対して水平方向で他端側に向かって移動可能且つ回転可能に係止され、他端が前記ベースプレートに対して水平方向に浮動可能且つ回転可能に係止された外側枠とを有し、
前記外側枠の他端が前記フレームに対して水平方向に位置決めされていることを特徴とするキーボード装置。
【請求項４】
請求項３記載のキーボード装置において、
前記ベースプレートは、前記内側枠の一端に設けられた軸部材を係止する内側枠用係止片と、前記外側枠の他端に設けられた軸部材を係止する外側枠用係止片とを有し、
前記内側枠と前記内側枠用係止片との間、前記外側枠と前記外側枠用係止片との間、前記内側枠の軸部材と内側枠用係止片との間、及び前記外側枠の軸部材と前記外側枠用係止片との間には、水平方向の隙間が設けられることを特徴とするキーボード装置。
【請求項５】
請求項４記載のキーボード装置において、
前記キーキャップには、その側面下端部から外方へと突出し、前記フレームの下面に当接可能な突出部が設けられ、該突出部が前記フレームに当接することで前記キーキャップの最高高さが規定されるものであり、
前記内側枠の軸部材と内側枠用係止片との間及び前記外側枠の軸部材と外側枠用係止片との間の隙間は、前記キーキャップの上下方向位置に関わらず確保されることを特徴とするキーボード装置。
【請求項６】
請求項１〜５のいずれか１項に記載のキーボード装置を備えることを特徴とする電子機器。